(57)【要約】【課題】コーキング剤の注入作業を必要とすることなく、かつ、作業性の向上を図ることを可能とする新規な構造のシール機能付留め具を提案する。【解決手段】ネジ部３の表面を被覆する粘着力を有するシール材７と、シール材７を被覆する被覆材９と、を有し、被覆材９にてシール材７の粘着力が弱められる構成とする、シール機能付留め具１とする。シール材７は被覆材９によって被覆されているため、シール材７がべた付くことがなく、シール機能付留め具１の取り扱いが容易となる。【選択図】図１
2013190031.tif 000002
【特許請求の範囲】
【請求項１】
ネジ部の表面を被覆する粘着力を有するシール材と、
前記シール材を被覆する被覆材と、
を有し、
前記被覆材にて前記シール材の粘着力が弱められる、
シール機能付留め具。
【請求項２】
前記被覆材は、前記シール材の外側表面の粘着力を弱める、
ことを特徴とする請求項１に記載のシール機能付留め具。
【請求項３】
前記被覆材は、シール材の少なくとも一部分に被覆した、
ことを特徴とする請求項１又は請求項２に記載のシール機能付留め具。
【請求項４】
前記被覆材が帯状物であり、前記ネジ部の軸心周りに巻きつけてある、
ことを特徴とする請求項１乃至請求項３のいずれか一項に記載のシール機能付留め具。
【請求項５】
前記シール材が、前記帯状物により圧縮された状態となっている、
ことを特徴とする請求項４に記載のシール機能付留め具。
【請求項６】
前記被覆材が流体、又は、粉体である、
ことを特徴とする請求項１乃至請求項３のいずれか一項に記載のシール機能付留め具。
【請求項７】
前記被覆材が除去可能に構成される、
ことを特徴とする請求項１乃至請求項６のいずれか一項に記載のシール機能付留め具。
【請求項８】
請求項１乃至請求項７のいずれか一項に記載のシール機能付留め具を用いた被固定部材の固定構造であって、
前記シール機能付留め具は、その先端側が固定部材にネジ込まれることで被固定部材を前記固定部材に留め付けるためのネジ部を有し、
前記ネジ部は粘着力を有するシール材に被覆され、さらに、前記シール材は前記シール材の粘着力を弱める被覆材によって被覆され、
前記ネジ部が前記固定部材に差し込まれる際に、少なくとも前記シール材が、前記固定部材に押し返されるようにして盛り上がることで、
前記シール材によるシール性が発揮される、
シール機能付留め具を用いた被固定部材の固定構造。
【発明の詳細な説明】
【技術分野】
【０００１】
本発明は、住宅などの建物の屋根に設置される太陽電池パネルなどの太陽エネルギー利用装置を設置する技術に関するものであり、より詳しくは、屋根からの漏水を防ぎつつ部材を固定するための留め具に関する。
【背景技術】
【０００２】
従来、住宅などの建物の屋根に設置される太陽電池パネルなどの太陽エネルギー利用装置においては、屋根上の複数箇所に配設される設置用固定具にて太陽エネルギー利用装置を設置する構成が知られている。また、設置用固定具は、スレート瓦などの屋根材の上に設置されるとともに、屋根の野地板に対してビス固定される形態が知られており、この形態について開示する文献も存在する（例えば、特許文献１参照。）。
【０００３】
そして、特許文献１でも開示されるように、従来、設置用固定具（固定金具）を固定するために屋根材（平屋根材）に先孔を開けるとともに、この先孔にコーキング剤を注入し、その後、先孔を通じてビスを野地板に打ち込む形態が知られている。この形態では、先孔や、ビスの打ち込みによって野地板に形設される穴について、コーキング剤による雨水の漏水防止が図られることになる。
【０００４】
以上のように、従来の太陽エネルギー利用装置の施工においては、屋根への設置用固定具の固定に関し、コーキング剤による漏水対策が施されるものであった。
【０００５】
他方、特許文献２はシール用ネジを開示しており、雄ネジの螺合部（嵌合部）に合成樹脂フィルムよりなるシール材を被着形成することとしている。
【先行技術文献】
【特許文献】
【０００６】
【特許文献１】特開２００８−２７４６４７号公報
【特許文献２】特開昭５８−２８００７号公報
【発明の概要】
【発明が解決しようとする課題】
【０００７】
従来のコーキング剤を注入する施工方法では、コーキング剤を注入する手間が発生してしまう。特に、屋根全体の広い範囲を覆うように太陽エネルギー利用装置を設置する場合では、設置される太陽エネルギー利用装置のユニットの数も多くなるとともに、各ユニットを確実に屋根側に連結固定するために、多数の設置用固定具を用いる必要がある。また、各設置用固定具においても、複数箇所においてビス固定する必要が生じることになるため、コーキング剤の注入回数は、数百箇所以上になることが想定される。そして、このことから、コーキング剤の注入作業のために、まとまった作業時間が発生していると考えられ、この作業時間は太陽エネルギー利用装置の全施工時間に影響を与えるものとなる。
【０００８】
ところが、屋根の施工や修繕を行う当業者においては、太陽エネルギー利用装置の設置が普及する以前から、屋根に関連してコーキング剤の利用による漏水対策を講じることが慣例となっているため、近年、特に需要及び普及が急拡大している太陽電池パネルの設置においても、コーキング剤の注入作業が必要とされている点については、特に疑問が呈されることは無かったものと考えられる。
【０００９】
しかしながら、上述したように、コーキング剤の注入作業の時間は、太陽エネルギー利用装置の全施工時間に影響するものである。このため、本願の発明者らは、コーキング剤の注入作業の時間に着目するとともに、この全施工時間の短縮を図るべく、コーキング剤の注入作業がなされている現状がありながらも、あえてコーキング剤の注入作業を行うこと無しに漏水対策が可能な新規な技術を検討した。
【００１０】
また、特許文献１に開示される構成では、屋根材のおもて面側に防水シート（防水カバー）が敷設される形態とするものであるが、屋根材と野地板の間、即ち、屋根材のうら側であって、野地板のおもて面側に防水シートが敷設される形態においては、この防水シートをビスが突き破ることによって防水シートに孔が形設されることになるため、この孔を封止する必要がある。
【００１１】
特に、既設住宅の屋根において、野地板のおもて面側に防水シートが敷設される形態の場合には、特許文献１のように屋根材に防水シートを敷設する必要がなく、既存の防水シートをそのまま利用できるという利点がある。このため、このような野地板のおもて面側に防水シートが敷設される形態について、コーキング剤の注入作業を行うこと無しに漏水対策を行える技術が期待されることになる。
【００１２】
なお、特許文献１では、屋根材のおもて面側に防水シートを設ける形態であるため、特許文献１を参照してもこのような課題は思いつかないものであるところ、発明者らは、既設住宅の屋根の実際の形態を踏まえた上で、検討を重ねたものである。
【００１３】
他方、特許文献２に開示されるようなシール用ネジを用い、合成樹脂フィルムによって捻じ込み部のシール性を確保することも検討される。
【００１４】
ただし、高い防水性を確保する観点から、例えばブチル系コーキング剤などの粘着性を有するコーキング剤を使用することが要求されることが想定される。このような粘着性を有するコーキング剤をネジに被着形成させた場合には、コーキング剤がべた付くことが無いようにすることが必要になる。コーキング剤がべた付くと、例えば、複数のネジを袋、箱、ポケットなどに収容することを想定した場合に、袋の内側や、さらには、作業員の軍手などにも付着してしまい、コーキング剤がはがれてしまい、本来求められる防水性を確保できないことも懸念される。
【００１５】
また、他の課題として、ネジ同士がコーキング剤によってくっ付いてしまうと、ネジ同士を都度分離して用いなければならないことになり、作業性が悪いものとなってしまう。
【００１６】
そこで、本発明は、以上の問題点に鑑み、コーキング剤の注入作業を必要とすることなく、かつ、作業性の向上を図ることを可能とする新規な構造のシール機能付留め具を提案するものである。
【課題を解決するための手段】
【００１７】
本発明の解決しようとする課題は以上の如くであり、次にこの課題を解決するための手段を説明する。
【００１８】
即ち、請求項１に記載のごとく、
ネジ部の表面を被覆する粘着力を有するシール材と、
シール材を被覆する被覆材と、
を有し、
被覆材にてシール材の粘着力が弱められる、構成とするものである。
【００１９】
また、請求項２に記載のごとく、
被覆材は、シール材の外側表面の粘着力を弱める、こととする。
【００２０】
また、請求項３に記載のごとく、
被覆材は、シール材の少なくとも一部分に被覆することとしてもよい。
【００２１】
また、請求項４に記載のごとく、
被覆材が帯状物であり、ネジ部の軸心周りに巻きつけてある、こととする。
【００２２】
また、請求項５に記載のごとく、
シール材が、帯状物により圧縮された状態となっている、こととする。
【００２３】
また、請求項６に記載のごとく、
被覆材が流体、又は、粉体である、こととする。
【００２４】
また、請求項７に記載のごとく、
被覆材を除去可能に構成する。
【００２５】
また、請求項８に記載のごとく、
シール機能付留め具を用いた被固定部材の固定構造であって、シール機能付留め具は、その先端側が固定部材にネジ込まれることでブラケット部材被固定部材を野地板に留め付けるためのネジ部を有し、ネジ部は粘着力を有するシール材に被覆され、さらに、シール材はシール材の粘着力を弱める被覆材によって被覆され、ネジ部が野地板に差し込まれる際に、少なくともシール材が、固定部材に押し返されるようにして盛り上がることで、シール材によるシール性が発揮されることとするものである。
【発明の効果】
【００２６】
本発明の効果として、以下に示すような効果を奏する。
【００２７】
即ち、請求項１に記載の発明においては、
シール材の呈するべた付きを被覆材によって抑制することができ、例えば、複数のシール機能付留め具を袋、箱、ポケットなどに収容することを想定した場合に、袋の内側や、さらには、作業員の軍手などに付着し、コーキング剤がはがれてしまい、本来求められる防水性を確保できないといった不具合の発生を防止できる。
【００２８】
また、請求項２に記載の発明においては、
シール材のみ表面が直接外部に現れている場合と比較して、被覆材によってシール材のべた付きを抑制することができ、例えば、複数のシール機能付留め具を袋、箱、ポケットなどに収容することを想定した場合に、袋の内側や、さらには、作業員の軍手などに付着し、コーキング剤がはがれてしまい、本来求められる防水性を確保できないといった不具合の発生を防止できる。また、シール機能付留め具同士がシール材によってくっ付いてしまう不具合を効果的に防止できることになり、作業性の悪化を防止できる。
【００２９】
また、請求項３に記載の発明においては、
例えば、必要となる箇所にのみ被覆材にてシール材の被覆をすることで、被覆材の使用量を抑えることが可能となる。例えば、シール材の長手方向において、両端部を除く全体の割の範囲を被覆材にて被覆し、被覆部分については確実にシール材のはがれを抑制するといったことが考えられる。
【００３０】
また、請求項４に記載の発明においては、
帯状物によってシール材が巻きつけられた状態となり、シール材の剥がれを効果的に抑制できる。
【００３１】
また、請求項５に記載の発明においては、
シール機能付留め具をスリムにすることができ、持ち運び性や収納性に優れた構成を実現できる。また、実際に捻じ込んだ際には、適度にほぐれる様にしてシール材をネジ部の周りに広げることができ、高いシール性を確保することができる。
【００３２】
また、請求項６に記載の発明においては、
シール材の周囲に被覆材を容易に適用することが可能であり、例えば、被覆材をスプレー噴霧によりシール材に付着されることや、被覆材の入った容器内にネジ部がシール材で被覆されたものを投入する、などといったことにより、多量のシール機能付留め具を短時間で製造することが可能となる。なお、流体としては、例えば、エポキシ系樹脂を主成分とするシール固着剤、粉体としては、例えば、滑石などを用いることが考えられる。
【００３３】
また、請求項７に記載の発明においては、
例えば、施工現場の状況に応じるなど、必要に応じて被覆材を除去することが可能となる。また、シール材の機能のみを発揮させることも可能となる。
【００３４】
また、請求項８に記載の発明においては、
施工の際にはシール材の呈するべた付きを被覆材によって抑制することができ、例えば、複数のシール機能付留め具１を袋、箱、ポケットなどに収容することを想定した場合に、袋の内側や、さらには、作業員の軍手などに付着し、コーキング剤がはがれてしまい、本来求められる防水性を確保できないといった不具合の発生を防止できる。
【図面の簡単な説明】
【００３５】
【図１】シール機能付留め具の一実施例について示す図。
【図２】太陽電池パネルの施工例について示す図。
【図３】シール機能付留め具を用いたブラケット部材の固定について示す図。
【図４】シール機能付留め具によりシールされた状態について示す図。
【図５】屋根材の他の納まり仕様における本発明の実施形態について示す図。
【発明を実施するための形態】
【００３６】
図１は、本発明の一実施例であるシール機能付留め具１の全体図である。本実施例のシール機能付留め具１は、ネジ構造を有する留め具の形態にて構成されており、螺旋状のネジ山が形成されたネジ部３と、ネジ部３の一端に設けられる頭部５を有して構成される。
【００３７】
ネジ部３は、ネジ部３の長手方向の所定範囲の範囲Ｆにおいてシール材７によって被覆される。このシール材７は、後述するように、ネジ部３が挿入される穴とネジ部３の間の隙間を密閉するためのシール材（コーキング剤）として機能するものであり、例えば、ブチル系コーキング剤として市販されるものの利用が考えられる。
【００３８】
ネジ部３をシール材７にて被覆する形態は特に限定されるものではなく、例えば、図１に示すように厚さ数ｍｍ（例えば、１．０ｍｍ〜３．０ｍｍ）の板状としたシール材７をネジ部３に巻きつけることで、ネジ部３を被覆することが考えられる。この場合、ブチル系コーキング剤を使用することによれば、ブチル系コーキング剤自体が有する粘着力により、ネジ部３に対してシール材７を粘着により一体化することができる。
【００３９】
このほかにも、スプレー噴霧によりネジ部をシール材で被覆することや、シール材にネジ部を漬け込んだ後に固化させる、或いは、所定の形態とした半固形のシール材にネジ部を挿入するなどして、ネジ部がシール材にて被覆される形態などが考えられる。
【００４０】
シール材７にブチル系コーキング剤などの粘着性を呈する部材が用いられる場合には、シール材７の表面が粘着性を呈してべた付くことになるため、このべた付きに起因する不具合を発生させないために、シール材７の表面が被覆材９によって被覆される。
【００４１】
この被覆材９は、後述するように、ネジ部３が挿入される穴とネジ部３の間の隙間を密閉するためのシール材（コーキング剤）として機能する、つまりは、シール材７を第一のシール材とすると、被覆材９が第二のシール材として機能するものであり、例えば、ポリテトラフルオロエチレン（テフロン（登録商標））からなるシールテープとして市販されるものの利用が考えられる。
【００４２】
このシールテープは、「シール用四ふっ化エチレン樹脂未焼成テープ（生テープ）」（ＪＩＳ  Ｋ  ６８８５）としても知られるものであり、水道管や空気管など、液体や気体を導く配管の接続部分等に生じるすき間を埋めるために使用されるものである。
【００４３】
このほかにも、このシールテープのように、被覆材９を帯状テープ部材とすることによれば、被覆材９を巻きつけるようにして容易にシール材７を被覆することができる。このほか、スプレー噴霧によりシール材を被覆材で被覆することや、被覆材にシール材で被覆されたネジ部を漬け込んだ後に固化させる、或いは、所定の形態とした半固形の被覆材にシール材で被覆されたネジ部を挿入するなどして、シール材が被覆材にて被覆される形態などが考えられる。
【００４４】
また、シール材７を被覆した状態の被覆材９の外側表面９ａは、粘着性を呈することのない非粘着層を構成することとしている。なお、「粘着性を呈することのない」とは、被覆材９で被覆された状態のシール機能付留め具１同士が互いにくっ付いてしまうことが無い、手指で触った際に外側表面９ａがくっ付いてしまうことが無い、軍手をはめたまま外側表面９ａを触っても軍手の繊維が外側表面９ａにほとんど付着することが無い、といった状況を形成し得ることをいう。
【００４５】
なお、被覆材９については、シール材７を被覆した後の外側表面９ａが粘着性を呈さないものであればよく、被覆材９の内側表面については、粘着性を呈するものであってもよい。
【００４６】
また、図１に示される実施例において、ネジ部３に対するシール材７による被覆、及び、シール材７に対する被覆材９による被覆は、機械装置によって自動的になされるほか、手作業によってなされるものであってもよい。
【００４７】
以上のように、本発明の実施形態では、ネジ部３がシール材７にて被覆され、シール材７が被覆材９にて被覆され、シール材７を被覆した状態の被覆材９の外側表面が粘着性を呈しないこととする、シール機能付留め具１が構成されるものである。
【００４８】
この構成によれば、シール材７は被覆材９によって被覆されているため、シール材７がべた付くことがなく、シール機能付留め具１の取り扱いが容易となる。また、りけい紙を用いないため、りけい紙を用いた場合に生じる様々な課題、即ち、りけい紙を剥がす作業の必要性、りけい紙の風による飛散、ごみとして屋根上に残る可能性、後の清掃作業の必要性、廃棄処分の必要性といった様々な課題が生じることがない。さらに、シール材７が被覆材９によって被覆されることでシール材７が被覆材９によって保護されるため、シール材７の劣化、損傷、欠落といった不具合の発生を防止できる。
【００４９】
次に、図２に示すようにシール機能付留め具１を用いて太陽電池パネル２７を施工する例について説明する。野地板２２の上に防水シート２３を介して屋根材２４ａ・２４ｂ・・・が設置され、この屋根材２４ａ・２４ｂ・・・には、設置用固定具５０、及び、架台部材２６を介して太陽電池パネル２７が載置固定される。
【００５０】
図３に示すごとく、野地板２２の上面側（オモテ面側）には防水シート２３が敷設され、この防水シート２３の上に屋根材２４ａ・２４ｂが敷設される。屋根材２４ａ・２４ｂは、水上側が上になるように、一部において重なるように設けられており、重なる部位において、上下方向に貫通する貫通孔４１ａ・４１ｂが形設される。この貫通孔４１ａ・４１ｂは、シール機能付留め具１を貫通させるために設けられる。
【００５１】
設置用固定具５０は、屋根材２４ａ・２４ｂの表側に設置され、太陽電池パネル２７の架台部材２６が連結されるブラケット部材５１と、ブラケット部材５１を屋根材２４ａ・２４ｂと屋根材２４ａ・２４ｂのウラ側の防水シート２３を介して野地板２２に留めつけるための留め具であって、上述した実施形態のシール機能付留め具１と、を有する構成としている。
【００５２】
ブラケット部材５１は、屋根材２４ａの上面側（おもて面側）に設置される設置板部５１ａと、太陽エネルギー利用装置の架台部材２６（図１参照）が連結固定される連結部５１ｂを有する構成としている。また、設置板部５１ａの下面（うら面）には、粘着性を有するテープ部材５１ｃが貼り付けられており、このテープ部材５１ｃを屋根材２４ａに貼り付けることによって、ブラケット部材５１を屋根材２４ａに対して仮固定できるようになっている。
【００５３】
なお、テープ部材５１ｃとしては、止水機能（シーリング機能）を発揮するものとして周知されているブチルテープなどが利用され得る。また、このテープ部材５１ｃは、ブラケット部材７１と別体であって、施工時などにおいて適宜使用されるものであってもよい。
【００５４】
また、締結部材として機能するシール機能付留め具１は、先端側が野地板２２に対して差し込まれるネジ部３と、ネジ部３の後端側に設けられる頭部５を有して構成される。
【００５５】
このシール機能付留め具１は、ブラケット部材５１を野地板２２に対して固定するものであり、ブラケット部材５１の設置板部５１ａに形設される貫通孔５１ｍに対してシール機能付留め具１のネジ部３が挿入されるとともに、ネジ部３の先端が防水シート２３を突き破るようにして野地板２２へとネジ込まれる。
【００５６】
また、ブラケット部材５１の設置板部５１ａは、シール機能付留め具１の頭部５によって上側から押さえつけられるとともに、頭部５と設置板部５１ａの間には、貫通孔５１ｍからの水の浸入を防止するためのパッキン８が介装される。このパッキン８は、あらかじめシール機能付留め具１に取り付けておくことが可能である。
【００５７】
また、図３に示すごとく、シール機能付留め具１のネジ部３には、シール材７、及び、被覆材９が被覆されている状態となっている。シール材７は封止部材として機能するものであり、例えば、上述のように従来広く使用されるブチル系コーキング剤を採用することができる。
【００５８】
また、図３に示すごとく、シール材７はシール機能付留め具１のネジ部３の先端側に付着されるものとしている。より詳しくは、シール機能付留め具１のネジ部３の長さ方向において、シール材７が設けられる範囲Ｆは、野地板２２に差し込まれるネジ部３の部位を有効差込範囲Ｙとした場合に、有効差込範囲Ｙの少なくとも一部を含むこととする。換言すれば、有効差込範囲Ｙが先端３ａから中途部３ｂの範囲である場合に、範囲Ｆの先端３ａ側の境界部Ｆａは、中途部３ｂよりも先端３ａに近い側に配置されることとする。
【００５９】
そして、図４に示すごとく、シール機能付留め具１が防水シート２３を突き破るようにして野地板２２に差し込まれた際には、ネジ部３の周囲の付着したシール材７、及び、シール材７を被覆する被覆材９は、野地板２２に押し返されるようにして盛り上がり、防水シート２３に形設される孔３１の周りに堆積することになる。そして、このように堆積したシール材７と被覆材９によって、防水シート２３の孔３１が封止される。
【００６０】
なお、防水シート２３の孔３１は、シール機能付留め具１の先端が通過することによって形成されることとする他、予め、防水シート２３に形設されるものであってもよい。
【００６１】
以上の構成により、コーキング剤の注入作業を必要とすることなく、設置用固定具５０の設置を行うことが可能となる。
【００６２】
即ち、まず、図３に示すごとく、貫通孔４１ａ・４１ｂに対して設置板部５１ａの貫通孔５１ｍの位置を合わせるようにして、ブラケット部材５１が屋根材２４ａに設置される。次に、設置板部５１ａの貫通孔５１ｍから、ネジ部３がシール材７と被覆材９によって被覆されたシール機能付留め具１が差し込まれるとともに、図４に示すごとく、このシール機能付留め具１の先端が防水シート２３を突き破って野地板２２に差し込まれることによって、シール機能付留め具１によるブラケット部材５１の野地板２２への固定が完了する。
【００６３】
そして、図４に示すごとく、ブラケット部材５１の固定作業がなされる際には、ネジ部３の周囲に付着したシール材７、及び、被覆材９は、野地板２２に押し返されるようにして盛り上がり、防水シート２３に形設される孔３１の周りに堆積することになる。
【００６４】
このように堆積したシール材７と被覆材９によって、防水シート２３の孔３１が封止され、この孔３１への水の浸入が、シール材７と被覆材９によって防止されることになり、防水シート２３に形設された孔３１を通過することによる漏水を防止することが可能となる。このように、シール機能付留め具１を締結するという簡易な作業によって、コーキング剤の注入作業の代わりとすることができる。
【００６５】
また、図４に示される固定の形態は、一つのブラケット部材５１について複数箇所存在することが想定される、つまり、例えば、一つのブラケット部材５１を五箇所においてシール機能付留め具１にて留め付けるといったことが想定されるため、コーキング剤の注入作業に代えて本実施例を適用することによれば、作業時間を大きく短縮することが可能となる。
【００６６】
以上に説明したように、シール機能付留め具１を用いた被固定部材の固定構造が実現されるものであり、シール機能付留め具１は、その先端側が野地板２２（固定部材）にネジ込まれることでブラケット部材５１（被固定部材）を野地板２２に留め付けるためのネジ部３を有し、ネジ部３はシール材７に被覆され、さらに、シール材７は外側表面が粘着性を呈しない被覆材９によって被覆され、ネジ部３が野地板２２に差し込まれる際に、シール材７及び被覆材９が、野地板２２に押し返されるようにして盛り上がることで、前記シール材及び前記被覆材によるシール性が発揮される。
【００６７】
そして、シール材７は被覆材９によって被覆されているため、シール材７がべた付くことがなく、シール機能付留め具１の取り扱いが容易となる。また、りけい紙を用いないため、りけい紙を用いた場合に生じる様々な課題、即ち、りけい紙を剥がす作業の必要性、りけい紙の風による飛散、ごみとして屋根上に残る可能性、後の清掃作業の必要性、廃棄処分の必要性といった様々な課題が生じることがない。
【００６８】
また、シール材７が被覆材９によって被覆されることでシール材７が被覆材９によって保護されるため、シール材７の劣化、損傷、欠落といった不具合の発生を防止できる。
【００６９】
また、被覆材９を隙間を密閉するための第二のシール材として機能させることにより、施工後において、被覆材９を取り除く必要も無く、また、被覆材９で被覆するシール材７とともに、より高いシール性能（止水性）を呈することが可能となる。
【００７０】
なお、図５に示すごとく、複数の屋根材２４ｃ・２４ｄ・２４ｅが重ねて配置される屋根材の納まり仕様においては、上側（水上側）の屋根材２４ｄと野地板２２の間に空間２８が形成される。このような納まり仕様においても、上述のシール機能付留め具１を用いた場合には、空間２８を利用してシール材７や被覆材９を堆積させることが可能となり、これにより、シール材７及び被覆材９によって防水シート２３の孔３１を封止することが可能となる。
【００７１】
以上の実施形態から判るように、本発明は以下の構成にて実現できる。
即ち、図１に示すごとく、ネジ部３の表面を被覆する粘着力を有するシール材７と、シール材７を被覆する被覆材９と、を有し、被覆材９にてシール材７の粘着力が弱められる構成とするものである。
【００７２】
これにより、シール材７の呈するべた付きを被覆材９によって抑制することができ、例えば、複数のシール機能付留め具１を袋、箱、ポケットなどに収容することを想定した場合に、袋の内側や、さらには、作業員の軍手などに付着し、コーキング剤がはがれてしまい、本来求められる防水性を確保できないといった不具合の発生を防止できる。
【００７３】
また、被覆材９は、シール材７の外側表面の粘着力を弱めることとする。
【００７４】
これにより、シール材７のみ表面が直接外部に現れている場合と比較して、被覆材９によってシール材７のべた付きを抑制することができ、例えば、複数のシール機能付留め具１を袋、箱、ポケットなどに収容することを想定した場合に、袋の内側や、さらには、作業員の軍手などに付着し、コーキング剤がはがれてしまい、本来求められる防水性を確保できないといった不具合の発生を防止できる。また、シール機能付留め具１同士がシール材７によってくっ付いてしまう不具合を効果的に防止できることになり、作業性の悪化を防止できる。
【００７５】
また、被覆材９は、シール材７の少なくとも一部分に被覆することとしてもよい。
【００７６】
これにより、例えば、必要となる箇所にのみ被覆材９にてシール材７の被覆をすることで、被覆材９の使用量を抑えることが可能となる。例えば、シール材７の長手方向において、両端部を除く全体の８割の範囲を被覆材９にて被覆し、被覆部分については確実にシール材７のはがれを抑制するといったことが考えられる。
【００７７】
また、被覆材９が帯状物であり、ネジ部３の軸心周りに巻きつけてある、こととする。
【００７８】
これにより、帯状物によってシール材７が巻きつけられた状態となり、シール材７の剥がれを効果的に抑制できる。
【００７９】
また、シール材７が、帯状物により圧縮された状態となっている、こととする。
【００８０】
これにより、シール機能付留め具１をスリムにすることができ、持ち運び性や収納性に優れた構成を実現できる。また、実際に捻じ込んだ際には、適度にほぐれる様にしてシール材７をネジ部３の周りに広げることができ、高いシール性を確保することができる。
【００８１】
また、他の実施形態として、被覆材９が流体、又は、粉体である、こととすることが考えられる。
【００８２】
この形態によれば、シール材７の周囲に被覆材９を容易に適用することが可能であり、例えば、被覆材９をスプレー噴霧によりシール材７に付着されることや、被覆材９の入った容器内にネジ部３がシール材７で被覆されたものを投入する、などといったことにより、多量のシール機能付留め具１を短時間で製造することが可能となる。なお、流体としては、例えば、エポキシ系樹脂を主成分とするシール固着剤、粉体としては、滑石などを用いることが考えられる。
【００８３】
また、被覆材９を除去可能に構成することとしてもよい。
【００８４】
この形態によれば、例えば、施工現場の状況に応じるなど、必要に応じて被覆材９を除去することが可能となる。また、シール材７の機能のみを発揮させることも可能となる。
【００８５】
また、図３及び図４に示されるように、シール機能付留め具を用いた被固定部材の固定構造であって、シール機能付留め具１は、その先端側が野地板２２（固定部材）にネジ込まれることでブラケット部材５１（被固定部材）を野地板２２に留め付けるためのネジ部３を有し、ネジ部３は粘着力を有するシール材７に被覆され、さらに、シール材７はシール材７の粘着力を弱める被覆材９によって被覆され、ネジ部３が野地板２２に差し込まれる際に、シール材７が、少なくとも野地板２２に押し返されるようにして盛り上がることで、シール材によるシール性が発揮されることとするものである。
【００８６】
このような固定構造により、施工の際にはシール材７の呈するべた付きを被覆材９によって抑制することができ、例えば、複数のシール機能付留め具１を袋、箱、ポケットなどに収容することを想定した場合に、袋の内側や、さらには、作業員の軍手などに付着し、コーキング剤がはがれてしまい、本来求められる防水性を確保できないといった不具合の発生を防止できる。
【産業上の利用可能性】
【００８７】
本発明の構成は、特に、止水が必要な箇所において使用される留め具として広く活用することができる。
【符号の説明】
【００８８】
１    シール機能付留め具
３    ネジ部
３ａ    先端
３ｂ    中途部
５    頭部
７    シール材
８    パッキン
９    被覆材
９ａ    外側表面
２７    太陽電池パネル
５０    設置用固定具
５１    ブラケット部材
【図１】
2013190031.tif 000003
【図２】
2013190031.tif 000004
【図３】
2013190031.tif 000005
【図４】
2013190031.tif 000006
【図５】
2013190031.tif 000007